(57)【特許請求の範囲】
【請求項１】
外部の動画記録装置と通信する通信手段と、
前記動画記録装置の動画記録におけるフレームの範囲を変更する操作を検出する操作検出手段と、
前記動画記録装置による動画記録中に前記操作検出手段による操作の検出により発生する所定の信号を検出する第１の検出手段と、
前記第１の検出手段によって前記所定の信号を検出したことに応じて、前記動画記録装置にて記録対象となっている動画像を前記通信  手段により逐次受信し、再生出力する表示制御手段と、
を備えることを特徴とする電子機器。
【請求項２】
外部の電子機器と通信する通信手段と、
動画記録におけるフレームの範囲を変更する操作を検出する操作検出手段と、
動画記録中に前記操作検出手段による操作の検出によりに発生する所定の信号を検出する第２の検出手段と、
前記第２の検出手段によって前記所定の信号を検出したことに応じて、記録対象となっている動画像を、前記通信手段を介して前記電子機器へ送信するよう制御する通信制御手段と、
を備えることを特徴とする動画記録装置。
【請求項３】
記録中の画像の変化を検出する変化検出手段をさらに備え、
前記第２の検出手段は、前記変化検出手段による変化の検出により発生する所定の信号を検出することを特徴とする請求項２に記載の動画記録装置。
【請求項４】
外部の電子機器と通信する通信手段と、
動画記録中に記録中の画像に基づいて発生する所定の信号を検出する第３の検出手段と、
前記第３の検出手段によって前記所定の信号を検出したことに応じて、記録対象となっている動画像を、前記通信手段を介して前記電子機器へ送信するよう制御する通信制御手段と、
を備えることを特徴とする動画記録装置。
【請求項５】
前記第３の検出手段は、記録中の画像から特定の被写体を検出したか否かに基づいて発生する所定の信号を検出することを特徴とする請求項４に記載の動画記録装置。
【請求項６】
前記第３の検出手段は、記録中の画像から動体を検出したか否かに基づいて発生する所定の信号を検出することを特徴とする請求項４記載の動画記録装置。
【請求項７】
動画記録装置であって、
外部の電子機器と通信する通信手段と、
当該動画記録装置の温度を取得する取得手段と、
動画記録中に前記取得手段により取得された温度が特定の閾値未満か否かに基づいて発生する所定の信号を検出する第４の検出手段と、
前記第４の検出手段によって前記所定の信号を検出したことに応じて、記録対象となっている動画像を、前記通信手段を介して前記電子機器へ送信するよう制御する通信制御手段と、
を備えることを特徴とする動画記録装置。
【請求項８】
外部の動画記録装置と通信する通信手段を備える電子機器で実行される動画送受信制御方法であって、
前記動画記録装置の動画記録におけるフレームの範囲を変更する操作を検出する操作検出ステップと、
前記動画記録装置による動画記録中に前記操作検出ステップでの操作の検出により発生する所定の信号を検出する第１の検出ステップと、
前記第１の検出ステップにおいて前記所定の信号を検出したことに応じて、前記動画記録装置にて記録対象となっている動画像を前記通信手段により逐次受信し、再生出力する表示制御ステップと、
を含むことを特徴とする動画送受信制御方法。
【請求項９】
外部の電子機器と通信する通信手段を備える動画記録装置で実行される動画送受信制御方法であって、
動画記録におけるフレームの範囲を変更する操作を検出する操作検出ステップと、
動画記録中に前記操作検出ステップでの操作の検出によりに発生する所定の信号を検出する第２の検出ステップと、
前記第２の検出ステップにおいて前記所定の信号を検出したことに応じて、記録対象となっている動画像を、前記通信手段を介して前記電子機器へ送信するよう制御する通信制御ステップと、
を含むことを特徴とする動画送受信制御方法。
【請求項１０】
外部の動画記録装置と通信する通信手段を備える電子機器を制御するコンピュータに、
前記動画記録装置の動画記録におけるフレームの範囲を変更する操作を検出する操作検出機能、
前記動画記録装置による動画記録中に前記操作検出機能による操作の検出により発生する所定の信号を検出する第１の検出機能、
前記第１の検出機能によって前記所定の信号を検出したことに応じて、前記動画記録装置にて記録対象となっている動画像を前記通信手段により逐次受信し、再生出力する表示制御機能、
を実現させることを特徴とするプログラム。
【請求項１１】
外部の電子機器と通信する通信手段を備える動画記録装置を制御するコンピュータに、
動画記録におけるフレームの範囲を変更する操作を検出する操作検出機能、
動画記録中に前記操作検出機能による操作の検出によりに発生する所定の信号を検出する第２の検出機能、
前記第２の検出機能によって前記所定の信号を検出したことに応じて、記録対象となっている動画像を、前記通信手段を介して前記電子機器へ送信するよう制御する通信制御機能、
を実現させることを特徴とするプログラム。
【請求項１２】
動画記録中に記録中の画像に基づいて発生する所定の信号を検出する第３の検出ステップと、
前記第３の検出ステップにて前記所定の信号を検出したことに応じて、記録対象となっている動画像を、通信手段を介して電子機器へ送信するよう制御する通信制御ステップと、
を含むことを特徴とする動画記録方法。
【請求項１３】
動画記録装置による動画記録中に取得された前記動画記録装置の温度が特定の閾値未満か否かに基づいて発生する所定の信号を検出する第４の検出ステップと、
前記第４の検出ステップにて前記所定の信号を検出したことに応じて、記録対象となっている動画像を、通信手段を介して電子機器へ送信するよう制御する通信制御ステップと、
を含むことを特徴とする動画記録方法。
【請求項１４】
外部の電子機器と通信する通信手段を備える動画記録装置を制御するコンピュータに、
動画記録中に記録中の画像に基づいて発生する所定の信号を検出する第３の検出機能、
前記第３の検出機能によって前記所定の信号を検出したことに応じて、記録対象となっている動画像を、前記通信手段を介して前記電子機器へ送信するよう制御する通信制御機能、
を実現させることを特徴とするプログラム。
【請求項１５】
動画記録装置であって、外部の電子機器と通信する通信手段と、当該動画記録装置の温度を取得する取得手段と、を備える動画記録装置、を制御するコンピュータに、
動画記録中に前記取得手段により取得された温度が特定の閾値未満か否かに基づいて発生する所定の信号を検出する第４の検出機能、
前記第４の検出機能によって前記所定の信号を検出したことに応じて、記録対象となっている動画像を、前記通信手段を介して前記電子機器へ送信するよう制御する通信制御機能、
を実現させることを特徴とするプログラム。
【発明の詳細な説明】
【技術分野】
【０００１】
本発明は、電子機器、動画記録装置、動画送受信制御方法及びプログラムに関する。
【背景技術】
【０００２】
従来、デジタルカメラ以外の端末からの指示操作によってデジタルカメラによる撮影を行うリモート撮影が行われている。リモート撮影においては、動画撮影中の画像を確認するために、撮影の指示操作をする端末に対して、デジタルカメラからライブビュー画像を送信している。
リモート撮影に関する技術として、例えば、特許文献１には、状況に応じて画像データを圧縮してモニタに送信するデジタルカメラが開示されている。
【先行技術文献】
【特許文献】
【０００３】
【特許文献１】特開２０１２−８４９６８号公報
【発明の概要】
【発明が解決しようとする課題】
【０００４】
しかしながら、動画記録等のように長時間に及ぶ記録処理においては、ライブビュー画像を常時送信することにより、消費電力の観点や装置の温度上昇の観点で問題があり、装置の安定的な動作の観点から好ましくない。
即ち、従来の技術においては、遠隔操作によって動画記録を行う場合に、安定した記録動作を行うことが困難であった。
【０００５】
本発明は、このような状況に鑑みてなされたものであり、遠隔操作によって動画記録を行う場合に、より安定した記録動作を行うことを目的とする。
【課題を解決するための手段】
【０００６】
上記目的を達成するため、本発明の一態様の電子機器は、
外部の動画記録装置と通信する通信手段と、
前記動画記録装置の動画記録におけるフレームの範囲を変更する操作を検出する操作検出手段と、
前記動画記録装置による動画記録中に前記操作検出手段による操作の検出により発生する所定の信号を検出する第１の検出手段と、
前記第１の検出手段によって前記所定の信号を検出したことに応じて、前記動画記録装置にて記録対象となっている動画像を前記通信手段により逐次受信し、再生出力する表示制御手段と、
を備えることを特徴とする。
【０００７】
上記目的を達成するため、本発明の一態様の動画記録装置は、
外部の電子機器と通信する通信手段と、
動画記録におけるフレームの範囲を変更する操作を検出する操作検出手段と、
動画記録中に前記操作検出手段による操作の検出によりに発生する所定の信号を検出する第２の検出手段と、
前記第２の検出手段によって前記所定の信号を検出したことに応じて、記録対象となっている動画像を、前記通信手段を介して前記電子機器へ送信するよう制御する通信制御手段と、
を備えることを特徴とする。
上記目的を達成するため、本発明の一態様の動画記録装置は、
外部の電子機器と通信する通信手段と、
動画記録中に記録中の画像に基づいて発生する所定の信号を検出する第３の検出手段と、
前記第３の検出手段によって前記所定の信号を検出したことに応じて、記録対象となっている動画像を、前記通信手段を介して前記電子機器へ送信するよう制御する通信制御手段と、
を備えることを特徴とする。
上記目的を達成するため、本発明の一態様の動画記録装置は、
外部の電子機器と通信する通信手段と、
当該装置の温度を取得する取得手段と、
動画記録中に前記取得手段により取得された温度が特定の閾値未満か否かに基づいて発生する所定の信号を検出する第４の検出手段と、
前記第４の検出手段によって前記所定の信号を検出したことに応じて、記録対象となっている動画像を、前記通信手段を介して前記電子機器へ送信するよう制御する通信制御手段と、
を備えることを特徴とする。
【発明の効果】
【０００８】
本発明によれば、遠隔操作によって動画記録を行う場合に、より安定した記録動作を行うことができる。
【図面の簡単な説明】
【０００９】
【図１】本発明の一実施形態に係るリモート撮影システムのシステム構成を示すシステム構成図である。
【図２】本発明の一実施形態に係る電子機器及び動画記録装置のハードウェアの構成を示すブロック図である。
【図３】電子機器及び動画記録装置の機能的構成のうち、ライブビュー画像送信処理を実行するための機能的構成を示す機能ブロック図である。
【図４】図３の機能的構成を有する動画記録装置が実行するライブビュー画像送信処理の流れを説明するフローチャートである。
【図５】図３の機能的構成を有する動画記録装置が実行するライブビュー画像送信処理の流れを説明するフローチャートである。
【図６】第３実施形態における電子機器及び動画記録装置の機能的構成のうち、ライブビュー画像送信処理を実行するための機能的構成を示す機能ブロック図である。
【図７】図６の機能的構成を有する動画記録装置が実行するライブビュー画像送信処理の流れを説明するフローチャートである。
【図８】本発明の第４実施形態に係る電子機器及び動画記録装置のハードウェアの構成を示すブロック図である。
【図９】第４実施形態における電子機器及び動画記録装置の機能的構成のうち、リモート撮影制御処理を実行するための機能的構成を示す機能ブロック図である。
【図１０】図９の機能的構成を有する動画記録装置が実行するリモート撮影制御処理の流れを説明するフローチャートである。
【発明を実施するための形態】
【００１０】
以下、本発明の実施形態について、図面を用いて説明する。
【００１１】
［第１実施形態］
［システム構成］
図１は、本発明の一実施形態に係るリモート撮影システム１００のシステム構成を示すシステム構成図である。
【００１２】
図１に示すように、リモート撮影システム１００は、電子機器１と、動画記録装置２と、から構成される。
【００１３】
電子機器１と動画記録装置２とは、Ｗｉ−Ｆｉ（Ｗｉｒｅｌｅｓｓ  Ｆｉｄｅｌｉｔｙ）等の無線通信あるいはＵＳＢ（Ｕｎｉｖｅｒｓａｌ  Ｓｅｒｉａｌ  Ｂｕｓ）等の有線通信によって、相互に通信可能に構成される。
動画記録装置２は、撮影した動画のデータを記録すると共に、撮影した動画をライブビュー画像として、電子機器１に送信可能である。電子機器１は、受信したライブビュー画像を表示すると共に、ユーザによって行われた撮影に関する操作を動画記録装置２に送信する。
【００１４】
このようなリモート撮影システム１００において、例えば、動画記録等が長時間に及ぶ場合においては、ユーザが常にライブビュー画像を確認する必要性は高くないと考えられる。例えば、ライブビュー画像に変化があった場合等にライブビュー画像を確認できればよい。
そこで、本実施形態に係るリモート撮影システム１００においては、ライブビュー画像を確認する必要性が高いと想定される所定の場合に限り、電子機器１は、動画記録装置２にライブビュー画像を送信する。
一方、ライブビュー画像を確認する必要性が高くない場合には、ライブビュー画像の送信を行わないことから、消費電力の増大や、装置の温度上昇を防ぎ、装置の安定的な動作を実現することができる。
以下、具体的な構成について説明する。
【００１５】
［ハードウェア構成］
図２は、本発明の一実施形態に係る電子機器１及び動画記録装置２のハードウェアの構成を示すブロック図である。
電子機器１は、例えばスマートフォンとして構成され、動画記録装置２は、例えばデジタルカメラとして構成される。
【００１６】
電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、画像処理部１４と、バス１５と、入出力インターフェース１６と、撮像部１７と、入力部１８と、出力部１９と、記憶部２０と、通信部２１と、ドライブ２２と、を備えている。
また、動画記録装置２は、ＣＰＵ３１と、ＲＯＭ３２と、ＲＡＭ３３と、画像処理部３４と、バス３５と、入出力インターフェース３６と、撮像部３７と、入力部３８と、出力部３９と、記憶部４０と、通信部４１と、ドライブ４２と、を備えている。
本実施形態において、電子機器１及び動画記録装置２は、それぞれ同様のハードウェア構成を有しているため、代表として電子機器１のハードウェア構成について説明する。なお、動画記録装置２のハードウェア構成において、電子機器１と同様の名称を有する部分は、概ね同様の機能を備えている。
【００１７】
ＣＰＵ１１は、ＲＯＭ１２に記録されているプログラム、又は、記憶部２０からＲＡＭ１３にロードされたプログラムに従って各種の処理を実行する。
【００１８】
ＲＡＭ１３には、ＣＰＵ１１が各種の処理を実行する上において必要なデータ等も適宜記憶される。
【００１９】
画像処理部１４は、ＤＳＰ（Ｄｉｇｉｔａｌ  Ｓｉｇｎａｌ  Ｐｒｏｃｅｓｓｏｒ）や、ＶＲＡＭ（Ｖｉｄｅｏ  Ｒａｎｄｏｍ  Ａｃｃｅｓｓ  Ｍｅｍｏｒｙ）等から構成されており、ＣＰＵ１１と協働して、画像のデータに対してＭＰＥＧ等への圧縮符号化処理や復号化処理等の各種画像処理を施す。
【００２０】
ＣＰＵ１１、ＲＯＭ１２、ＲＡＭ１３及び画像処理部１４は、バス１５を介して相互に接続されている。このバス１５は、入出力インターフェース１６に接続されている。入出力インターフェース１６には、撮像部１７、入力部１８、出力部１９、記憶部２０、通信部２１及びドライブ２２が接続されている。
【００２１】
撮像部１７は、図示はしないが、光学レンズ部と、イメージセンサと、を備えている。
【００２２】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２３】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１７の出力信号として出力される。
このような撮像部１７の出力信号を、以下、「撮像画像のデータ」と呼ぶ。撮像画像のデータは、ＣＰＵ１１や画像処理部１４等に適宜供給される。
【００２４】
入力部１８は、各種釦等で構成され、ユーザの指示操作に応じて各種情報を入力する。入力部１８は、例えば、シャッター操作を受け付けるシャッターキーやズーム操作を受け付けるズーム操作キーとして構成される。
なお、電子機器１の入力部１８は、出力部１９に含まれるディスプレイ上に構成されたタッチパネルを含む。
出力部１９は、ディスプレイやスピーカ等で構成され、画像や音声を出力する。  記憶部２０は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う無線又は有線による通信を制御する。
【００２５】
ドライブ２２には、磁気ディスク、光ディスク、光磁気ディスク、あるいは半導体メモリ等よりなる、図示しないリムーバブルメディアが適宜装着される。ドライブ２２によってリムーバブルメディアから読み出されたプログラムは、必要に応じて記憶部２０にインストールされる。また、リムーバブルメディアは、記憶部２０に記憶されている画像のデータ等の各種データも、記憶部２０と同様に記憶することができる。
【００２６】
［機能的構成］
図３は、このような電子機器１及び動画記録装置２の機能的構成のうち、ライブビュー画像送信処理を実行するための機能的構成を示す機能ブロック図である。
ライブビュー画像送信処理とは、リモート撮影を行う際に、設定された条件に従って、動画記録装置２の撮像部３７において取得された撮像画像のデータをライブビュー画像として送受信する一連の処理をいう。
【００２７】
ライブビュー画像送信処理が行われる場合、図３に示すように、電子機器１のＣＰＵ１１において、操作受付部５１と、操作指示部５２と、表示制御部５３とが機能する。
また、動画記録装置２のＣＰＵ３１において、操作実行部７１と、画像送信判定部７２と、ライブビュー画像作成部７３と、ライブビュー画像送信部７４とが機能する。
また、動画記録装置２の記憶部４０の一領域には、画像記憶部９１が設定される。
【００２８】
動画記録装置２の画像記憶部９１には、撮像部３７において撮像され、画像処理部３４において圧縮処理された撮像画像のデータが記憶される。
【００２９】
電子機器１において、操作受付部５１は、入力部１８に対するユーザの操作を受け付ける。即ち、操作受付部５１は、入力部１８へのユーザの操作による入力信号を検出し、入力信号に対応する操作を受け付ける。
【００３０】
操作指示部５２は、操作受付部５１が操作を受け付けたことに対応して、通信部２１を介して、動画記録装置２に対する操作指示を送信する。
【００３１】
表示制御部５３は、通信部２１を介して動画記録装置２から受信したライブビュー画像を、画像処理部１４によって復号化し、出力部１９に表示するように制御する。なお、表示制御部５３は、ライブビュー画像を受信後、次のライブビュー画像を受信するまでの間は、最後に受信したライブビュー画像の表示を維持する。
【００３２】
動画記録装置２において、操作実行部７１は、通信部４１を介して電子機器１から操作指示を受信し、受信した操作指示に応じた処理（撮影の開始、ライブビュー画像の送信制御あるいはフレームの範囲を変更するためのズームの制御等）を行う。
【００３３】
画像送信判定部７２は、撮影モード及び電子機器１からの操作指示に基づいて、ライブビュー画像を電子機器１に送信するか否かの判定を行う。
具体的には、画像送信判定部７２は、現在設定されている撮影モードが動画撮影モードでなく例えば静止画撮影モードで動作していると判定した場合、また、動画撮影モードであっても動画記録中でないと判定した場合、さらに、動画記録中であっても、その記録中の動画の解像度が所定以上の高解像（例えばフルハイビジョン画質で且つプログレッシブスキャン方式）でないと判定した場合には、逐次撮像している画像に基づくライブビュー画像を電子機器１に送信するよう制御させる。
また、画像送信判定部７２は、動画撮影モードで動画記録中であって、且つ、その記録中の動画の解像度が所定以上の高解像であると判定した場合でも、その際に電子機器１からの操作指示がライブビュー画像の送信を指示するものであると判定した場合には、逐次撮像している画像に基づくライブビュー画像を電子機器１に送信するよう制御させる。
なお、ライブビュー画像の送信を指示する操作指示によって、ライブビュー画像を送信する場合、予め設定された時間をタイマで計測し、設定された時間が経過した後、ライブビュー画像の送信が自動的に終了される。
【００３４】
ライブビュー画像作成部７３は、画像送信判定部７２がライブビュー画像を送信すると判定した場合に、撮像部３７から出力される撮像画像を取得して、ライブビュー画像を作成する。
【００３５】
ライブビュー画像送信部７４は、ライブビュー画像作成部７３が作成したライブビュー画像を、通信部４１を介して、電子機器１に送信する。
【００３６】
［動作］
図４は、図３の機能的構成を有する動画記録装置２が実行するライブビュー画像送信処理の流れを説明するフローチャートである。
ライブビュー画像送信処理は、動画記録装置２の操作実行部７１が、電子機器１からリモート撮影を開始させる操作指示を受け付けたことに対応して開始される。
【００３７】
まず、動画記録装置２の画像送信判定部７２は、リモート撮影の撮影モードが動画撮影モードであるか、あるいは他の撮影モード（例えば静止画撮影モードか）を判定する（ステップＳ１１）。
ステップＳ１１において、リモート撮影の撮影モードが動画撮影モードではなく、例えば静止画撮影モードである判定された場合は後述のステップＳ１５へ移行する。また、ステップＳ１１において、リモート撮影の撮影モードが動画撮影モードであると判定された場合は、現在動画記録中であるか否かを判定する（ステップＳ１２）。
【００３８】
ステップＳ１２において、現在動画記録中でないと判定された場合は後述のステップＳ１５へ移行する。ステップＳ１２において、動画記録中であると判定された場合はその記録中の動画の解像度が所定以上の高解像度の動画か否かを判定する（ステップＳ１３）。
ステップＳ１３において、記録中の動画の解像度が所定上の高解像度の動画でないと判定された場合は後述のステップＳ１５へ移行する。ステップＳ１３において、記録中の動画の解像度が所定上の高解像度の動画であると判定された場合は、さらに、その時に操作実行部７１が受け付けた操作指示が、ライブビュー画像の送信を指示するものであるか否かを判定する（ステップＳ１４）。
【００３９】
ステップＳ１４において操作実行部７１が受け付けた操作指示がライブビュー画像の送信を指示するものでないと判定された場合は、ライブビュー画像は送信せず、本処理を終了する。
【００４０】
ステップＳ１４において、操作実行部７１が受け付けた操作指示がライブビュー画像の送信を指示するものであると判定された場合、ライブビュー画像作成部７３は、撮像部３７から出力される撮像画像を取得して、ライブビュー画像を作成する（ステップＳ１５）。
【００４１】
次に、ライブビュー画像送信部７４は、作成したライブビュー画像を、通信部４１を介して、電子機器１に送信する（ステップＳ１６）。
ライブビュー画像を受信した電子機器１は、表示制御部５３によりライブビュー画像を出力部１９に表示する。なお、このとき、ライブビュー画像送信部７４は、予め設定された時間、ライブビュー画像を送信する。
【００４２】
このような処理により、本実施形態の動画記録装置２は、動画撮影モードでない場合、動画撮影モードであっても動画記録中でない場合、動画記録中であってもその記録中の動画が所定以上の高解像度でない場合には、ライブビュー画像を送信する。また、記録中の動画が所定以上の高解像度である場合でも、ユーザによってライブビュー画像の送信が指示されたときには、ライブビュー画像を送信し、ライブビュー画像の送信が指示されていないときには、ライブビュー画像の送信を行わない。
これにより、消費電力の増大や、装置の温度上昇を防ぎ、装置の安定的な動作を実現することができる。
したがって、遠隔操作によって動画記録を行う場合に、より安定した記録動作を行うことが可能となる。
【００４３】
［第２実施形態］
次に、本発明の第２実施形態について説明する。
本実施形態におけるリモート撮影システム１００のハードウェア構成は、第１実施形態における図２の構成と同様である。また、本実施形態におけるリモート撮影システム１００の機能的構成は、第１実施形態における図３の構成とほぼ同様である。ただし、動画記録装置２の画像送信判定部７２の判定条件が異なるため、異なる部分である画像送信判定部７２の機能について主として説明する。
【００４４】
画像送信判定部７２は、撮影モード及び電子機器１からの操作指示に基づいて、ライブビュー画像を電子機器１に送信するか否かの判定を行う。
具体的には、画像送信判定部７２は、動画撮影モードでないと判定した場合や、動画撮影モードであっても動画記録中でないと判定した場合、また、動画記録中であってもライブビュー画像の送信を要する特定の操作指示（ズーム操作等）が行われていると判定した場合には、ライブビュー画像を電子機器１に送信するよう制御する。
【００４５】
［動作］
図５は、図３の機能的構成を有する動画記録装置２が実行するライブビュー画像送信処理の流れを説明するフローチャートである。
図５において、ステップＳ２１〜Ｓ２２、Ｓ２４〜Ｓ２５の処理は、図４のライブビュー画像送信処理と同様であるので説明を省略する。
【００４６】
画像送信判定部７２は、電子機器１から送信された操作指示が、ライブビュー画像の送信を要する特定の操作指示であるか否かを判定する（ステップＳ２３）。
ステップＳ２３において電子機器１から送信された操作指示が、ライブビュー画像の送信を要する特定の操作指示でないと判定した場合、本処理を終了する。
一方、ステップＳ２３において、電子機器１から送信された操作指示が、ライブビュー画像の送信を要する特定の操作指示であると判定した場合、処理はステップＳ２４に移行する。
【００４７】
このような処理により、本実施形態の動画記録装置２は、動画撮影モードでないと判定した場合や、動画撮影モードであっても動画記録中でないと判定した場合、また、記録中にライブビュー画像の送信を要する特定の操作指示（ズーム操作等）が行われていると判定した場合には、ライブビュー画像を送信する。一方、動画記録中であってライブビュー画像の送信を要する特定の操作指示が行われたと判定した場合は、ライブビュー画像を送信する。
これにより、消費電力の増大や、装置の温度上昇を防ぎ、装置の安定的な動作を実現することができる。
また、ライブビュー画像の送信を要するか否かを例えばズーム操作の有無で判断することで、必要な場合のみ、ライブビュー画像を送信することができる。
したがって、遠隔操作によって動画記録を行う場合に、より安定した記録動作を行うことが可能となる。
【００４８】
［第３実施形態］
次に、本発明の第３実施形態について説明する。
本実施形態におけるリモート撮影システム１００のハードウェア構成は、第１実施形態における図２の構成と同様である。
【００４９】
［機能的構成］
第３実施形態において、電子機器１は、第１実施形態の機能的構成に加えて、表示報知部５４を備える。また、動画記録装置２は、第１実施形態の機能的構成に加えて、画像変化検出部７５を備えると共に、第１実施形態の画像送信判定部７２に代えて画像送信判定部７２ａを備える。
図６は、このような電子機器１及び動画記録装置２の機能的構成のうち、ライブビュー画像送信処理を実行するための機能的構成を示す機能ブロック図である。図６において、表示報知部５４、画像送信判定部７２ａ及び画像変化検出部７５以外の機能的構成は、第１実施形態の図３に示す構成と同様である。
【００５０】
動画記録装置２において、画像送信判定部７２ａは、画像変化検出部７５から動画記録中の撮像画像データにおいて状況変化があったか否かを判定する。そして撮像画像の状況変化がある場合、ライブビュー画像を電子機器１に送信するよう制御する。
【００５１】
画像変化検出部７５は、動画記録装置２の撮像部３７において記録中の動画データに基づいて、状況変化を検出する。具体的には、画像変化検出部７５は、記録中の動画における前後のフレームを比較して、画角全体が変化したか（例えば、画角全体の動きベクトルが一様に変化したか）、顔検出の状況が変化したか（例えば、特定の被写体を検知したか）、あるいは、画角内における動く物体の状況が変化したか（例えば、画角内に動く物体が進入したか）等を検出する。
【００５２】
電子機器１において、表示報知部５４は、通信部２１を介して、動画記録装置２からライブビュー画像を受信した場合に、ライブビュー画像を受信したことをユーザに報知する。表示報知部５４における報知は、ライブビュー画像を受信した旨の表示や音声の出力等によって行うことができる。
表示報知部５４がライブビュー画像の表示を報知することにより、記録中の状況変化というユーザが直接関与しないイベントによってライブビュー画像が表示されたことをユーザに報知することができる。
【００５３】
［動作］
図７は、図６の機能的構成を有する動画記録装置２が実行するライブビュー画像送信処理の流れを説明するフローチャートである。
図７において、ステップＳ３１〜Ｓ３２、Ｓ３４〜Ｓ３５の処理は、図４のライブビュー画像送信処理と同様であるので説明を省略する。
【００５４】
画像送信判定部７２ａは、画像変化検出部７５から記録中の動画の前後のフレームから状況変化を検出したか否かを判定する（ステップＳ３３）。
ステップＳ３３において、状況変化を検出しなかったと判定された場合、本処理を終了する。
一方、ステップＳ３３において、状況変化を検出したと判定された場合、処理はステップＳ３４に移行する。
【００５５】
次に、ライブビュー画像送信部７４は、作成したライブビュー画像を、通信部４１を介して、電子機器１に送信する（ステップＳ３５）。ライブビュー画像を受信した電子機器１は、表示制御部５３によりライブビュー画像を出力部１９に表示する。また、電子機器１は、表示報知部５４により、ライブビュー画像を表示する旨の報知を行う。
【００５６】
このような処理により、本実施形態の動画記録装置２は、動画撮影モードでないと判定した場合や、動画撮影モードであっても動画記録中でないと判定した場合、また、動画記録中であっても撮像画像の状況変化があると判定した場合には、ライブビュー画像を送信する。
これにより、消費電力の増大や、装置の温度上昇を防ぎ、装置の安定的な動作を実現することができる。
また、ライブビュー画像の送信を要するか否かを撮影している状況の変化の有無で判断することで、必要な場合のみ、ライブビュー画像を送信することができる。
したがって、遠隔操作によって動画記録を行う場合に、より安定した記録動作を行うことが可能となる。
【００５７】
［第４実施形態］
次に、本発明の第４実施形態について説明する。
［ハードウェア構成］
本実施形態のリモート撮影システム１００において、動画記録装置２は、第１実施形態のハードウェア構成に加えて、温度センサ部４３を備えている。
図８は、本発明の第４実施形態に係る電子機器１及び動画記録装置２のハードウェアの構成を示すブロック図である。
本実施形態におけるリモート撮影システム１００のハードウェア構成は、動画記録装置２の温度センサ部４３を除き、第１実施形態の図２に示す構成と同様である。
温度センサ部４３は、動画記録装置２の温度を計測し、計測した温度をＣＰＵ３１に供給する。
【００５８】
［機能的構成］
図９は、このような電子機器１及び動画記録装置２の機能的構成のうち、リモート撮影制御処理を実行するための機能的構成を示す機能ブロック図である。
リモート撮影制御処理とは、電子機器１からリモート撮影を実行させる操作指示を動画記録装置２に供給し、動画記録装置２において、装置の温度（詳細には、動画記録処理中に画像処理部３４を中心とした周辺回路部が発生する熱や、ライブビュー画像送信中に通信部４１を中心とした周辺回路部が発生する熱により装置本体が暖められる温度）を監視しながらリモート撮影を行う一連の処理をいう。
第４実施形態において、電子機器１は、第１実施形態の機能的構成に加えて、撮影状況報知部５５を備える。また、動画記録装置２は、第１実施形態の画像送信判定部７２に代えて画像送信判定部７２ｂを備え、第１実施形態の機能的構成に加えて、撮影記録制御部７６及び撮影状況送信部７７を備える。
図９において、撮影状況報知部５５、画像送信判定部７２ｂ、撮影記録制御部７６及び撮影状況送信部７７以外の機能的構成は、第１実施形態の図３に示す構成と同様である。
【００５９】
動画記録装置２において、画像送信判定部７２ｂは、温度センサ部４３から動画記録装置２の温度を取得して、取得した温度が設定された閾値（例えば、７５℃）未満であるか否かを判定する。画像送信判定部７２ｂは、取得した温度が設定された閾値未満でないと判定した場合は、これ以上装置の温度が上がらないようにするため、ライブビュー画像の送信を行わないよう制御する。
【００６０】
撮影記録制御部７６は、動画を撮影して記録する一連の処理を行う。具体的には、撮影記録制御部７６は、撮像部３７から撮像画像のデータを取得して、画像処理部３４において圧縮・ファイル化処理を行わせ、画像記憶部９１に記憶する。
【００６１】
動画記録装置２において、撮影状況送信部７７は、ライブビュー画像の生成・送信の開始や中止を行った場合、その旨をユーザに知らせるための表示データを生成し、通信部４１を介して、電子機器１に送信する。
【００６２】
電子機器１の撮影状況報知部５５は、操作指示部５２において、動画記録装置２の撮影状況送信部７７において生成された表示データを受信すると、表示データに基づいて出力部１９にライブビュー画像の生成・送信の開始や中止を表す画面表示を行う。
【００６３】
［動作］
図１０は、図９の機能的構成を有する動画記録装置２が実行するリモート撮影制御処理の流れを説明するフローチャートである。
リモート撮影制御処理は、動画記録装置２の操作実行部７１が、電子機器１からリモート撮影の開始操作を受け付けることにより開始される。
【００６４】
まず、撮影記録制御部７６は、撮像部３７から撮像画像のデータを取得する（ステップＳ４１）。
次に、撮影記録制御部７６は、ステップＳ４１において取得した撮像画像のデータを画像処理部３４において圧縮・ファイル化処理を行わせて、画像記憶部９１に記録する（ステップＳ４２）。
【００６５】
次に、画像送信判定部７２ｂは、温度センサ部４３から取得した温度が設定された閾値未満であるか否かを判定する（ステップＳ４３）。
ステップＳ４３において、温度センサ部４３から取得した温度が設定された閾値未満であると判定した場合、処理はステップＳ４４に移行する。
一方、ステップＳ４３において、温度センサ部４３から取得した温度が設定された閾値未満でないと判定した場合、処理はステップＳ４８に移行する。
【００６６】
画像送信判定部７２ｂは、ライブビュー画像作成部７３においてライブビュー画像の作成・送信が実行中であるかを判定する（ステップＳ４４）。
ステップＳ４４において、ライブビュー画像の作成・送信が実行中でないと判定した場合、処理はステップＳ４５に移行する。
一方、ステップＳ４４においてライブビュー画像の作成・送信が実行中であると判定した場合、処理はステップＳ４７に移行する。
【００６７】
画像送信判定部７２ｂは、ライブビュー画像作成部７３にライブビューの作成・送信を開始させる。これに対応して、ライブビュー画像作成部７３は、ライブビューの作成・送信を開始する（ステップＳ４５）。
【００６８】
撮影状況送信部７７は、ライブビューの生成・送信を開始した旨をユーザに知らせるための表示データを生成し、通信部４１を介して電子機器１に送信する報知処理を実行する（ステップＳ４６）。
【００６９】
操作実行部７１において、リモート撮影を終了する操作指示を受け付けたか否かを判断する（ステップＳ４７）。
ステップＳ４７において、撮影を終了する操作指示を受け付けてないと判定した場合、処理はステップＳ４１に移行する。
一方、ステップＳ４７において、撮影を終了する操作を受け付けたと判定した場合、リモート撮影制御処理を終了する。
【００７０】
画像送信判定部７２ｂは、ライブビュー画像作成部７３においてライブビューの作成・送信が実行中であるか否かを判定する（ステップＳ４８）。
ステップＳ４８において、ライブビューの作成・送信が実行中であると判定した場合、処理はステップＳ４９に移行する。
一方、ステップＳ４８において、ライブビューの作成・送信が実行中でないと判定した場合、処理はステップＳ５１に移行する。
【００７１】
画像送信判定部７２ｂは、ライブビュー画像作成部７３に対してライブビュー画像の作成・送信を中止させる。これに対応して、ライブビュー画像作成部７３は、ライブビューの作成・送信を中止する（ステップＳ４９）。
【００７２】
撮影状況送信部７７は、ライブビューの生成・送信を中止した旨をユーザに知らせるための表示データを生成し、通信部４１を介して電子機器１に送信する報知処理を実行する（ステップＳ５０）。
【００７３】
撮影状況送信部７７は、撮影（即ち、撮像画像データの取得）・記録（即ち、記録用の撮像画像のデータの記憶）を中断した旨をユーザに知らせるための表示のデータを生成し、通信部４１を介して電子機器１に送信する報知処理を実行する（ステップＳ５１）。
【００７４】
画像送信判定部７２ｂは、温度センサ部４３から取得した温度が設定された閾値以上の状態から閾値未満になるまで下がったか否かを判定する（ステップＳ５２）。
ステップＳ５２において、温度センサ部４３から取得した温度が未だ設定された閾値以上であると判定した場合、ステップＳ５２の処理が繰り返される。
一方、ステップＳ５２において、温度センサ部４３から取得した温度が設定された閾値未満まで下がったと判定した場合、処理はステップＳ５３に移行する。
即ち、ステップＳ５２において、温度センサ部４３から取得した温度が閾値以上の状態にあっては、その温度が閾値未満になるまでは撮影・記録が行われない。
【００７５】
撮影状況送信部７７は、撮影・記録を再開する旨をユーザに知らせるための表示データを生成し、通信部４１を介して電子機器１に送信する報知処理を実行する（ステップＳ５３）。
【００７６】
このような処理により、本実施形態の動画記録装置２は、装置の温度が設定された閾値未満である場合には、ライブビュー画像の作成及び送信を実行する。一方、装置の温度が設定された閾値以上である場合、ライブビュー画像の作成及び送信を実行しない。
これにより、装置の温度上昇を防ぎ、装置の安定的な動作を実現することができる。
したがって、遠隔操作によって動画記録を行う場合に、より安定した記録動作を行うことが可能となる。
また、本実施形態の動画記録装置２は、ライブビュー画像の作成及び送信を開始した場合や中断した場合、あるいは、再開した場合に、その状況をユーザに知らせるための表示データを電子機器１に送信する。
したがって、ライブビュー画像の作成及び送信の状態をユーザに適確に報知することができる。
【００７７】
以上のように構成される電子機器１は、通信部２１と、操作受付部５１と、表示制御部５３とを備える。
通信部２１は、外部の動画記録装置２と通信する。
操作受付部５１は、動画記録装置２による動画記録中に発生する所定の信号（ライブビュー画像の送信を行うものと判定される各種操作の信号等）を検出する。
表示制御部５３は、所定の信号を検出したことに応じて、動画記録装置２にて記録対象となっている動画像（ライブビュー画像）を通信部２１により逐次受信し、再生出力する。
これにより、電子機器１は、所定の信号が検出された場合に、動画像を受信して再生出力し、それ以外の場合は、動画像の受信及び再生出力を行わない。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００７８】
また、操作受付部５１は、動画記録装置２を制御するための操作を検出する。
操作受付部５１は、操作の検出により発生する所定の信号を検出する。
これにより、電子機器１は、ユーザによる操作に基づく所定の信号を検出した場合に、動画像を受信して再生出力する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００７９】
また、操作受付部５１において検出される操作は、動画記録におけるフレームの範囲を変更する操作である。
これにより、フレームの範囲を変更する操作が検出され、ユーザが電子機器１において動画像を確認する必要性が高い場合に、動画像を受信して再生出力する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８０】
また、動画記録装置２は、通信部４１と、画像送信判定部７２と、ライブビュー画像送信部７４とを備える。
通信部４１は、外部の電子機器と通信する。
画像送信判定部７２は、動画記録中に発生する所定の信号（特定の操作が行われたことを示す信号、画像の状況変化を示す信号、温度を示す信号等）を検出する。
ライブビュー画像送信部７４は、画像送信判定部７２によって所定の信号を検出したことに応じて、記録対象となっている動画像（ライブビュー画像）を、通信部４１を介して電子機器１へ送信するよう制御する。
これにより、動画記録装置２は、所定の信号を検出した場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８１】
また、動画記録装置２は、操作実行部７１をさらに備える。
操作実行部７１は、動画記録装置２を制御するための操作を検出する。
画像送信判定部７２は、操作実行部７１による操作の検出により発生する所定の信号を検出する。
これにより、動画記録装置２は、操作実行部７１によって所定の操作が検出された場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８２】
また、操作実行部７１によって検出される操作は、動画記録におけるフレームの範囲を変更する操作である。
これにより、動画記録装置２は、フレームの範囲を変更する操作が検出され、ユーザが電子機器１において動画像を確認する必要性が高い場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８３】
また、動画記録装置２は、画像変化検出部７５をさらに備える。
画像変化検出部７５は、記録中の画像の変化を検出する。
画像送信判定部７２は、画像変化検出部７５による変化の検出により発生する所定の信号を検出する。
これにより、記録中の画像の変化が検出され、ユーザが電子機器１において動画像を確認する必要性が高い場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８４】
また、画像送信判定部７２は、記録中の画像に基づいて発生する所定の信号を検出する。
これにより、動画記録装置２は、記録中の画像の内容に応じて、電子機器１に動画像を送信する。
したがって、記録中の画像において、ユーザが動画像を確認する必要性が高い場合に、電子機器１に動画像を送信することができる。
【００８５】
また、画像送信判定部７２は、記録中の画像から特定の被写体を検出したか否かに基づいて発生する所定の信号を検出する。
これにより、動画記録装置２は、特定の被写体を検出した場合のようにユーザが電子機器１において動画像を確認する必要がある場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８６】
また、画像送信判定部７２は、記録中の画像から動体を検出したか否かに基づいて発生する所定の信号を検出する。
これにより、動画記録装置２は、記録中の画像から動体を検出した場合のように、ユーザが電子機器１において動画像を確認する必要がある場合に、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８７】
また、画像送信判定部７２は、特定の状態になったか否かに基づいて発生する所定の信号を検出する。
これにより、動画記録装置２は特定の状態になったか否かに応じて、電子機器１に動画像を送信する。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８８】
また、特定の状態とは、動作に伴う温度上昇に対して当該動画記録装置２が所定の温度未満の状態である。
これにより、動画記録装置２は、自装置が所定の温度を超えた場合には、動画像の撮影を行わず、電子機器１に動画像を送信しない。
そのため、消費電力の増大や、装置の温度上昇を防ぎ、装置の安定的な動作を実現することができる。
したがって、遠隔操作によって動画記録を行う場合に、より安定した記録動作を行うことが可能となる。
【００８９】
なお、本発明は、上述の実施形態に限定されるものではなく、本発明の目的を達成できる範囲での変形、改良等は本発明に含まれるものである。
【００９０】
上述の実施形態では、ライブビュー画像の送信を要する特定の操作指示として、ズーム操作を例に挙げて説明したが、これに限られない。即ち、ライブビュー画像の送信を要する特定の操作指示は、ユーザによるライブビュー画像の確認の必要性が高いものであればよく、ユーザが測光領域を指定する操作指示等であってもよい。
また、上述の実施形態において、ライブビュー画像を送信しないと判定される場合であっても、前回のライブビュー画像から設定時間が経過している場合、ライブビュー画像を画像記録装置２から電子機器１に送信することとしてもよい。
また、上述の実施形態で説明した複数の機能を組み合わせて、電子機器１あるいは動画記録装置２に備えることとしてもよい。
【００９１】
また、上述の実施形態では、本発明が適用される電子機器１は、スマートフォンとして、動画記録装置２は、デジタルカメラとして説明したが、特にこれに限定されない。
例えば、本発明の動画記録装置２は、撮像部を有する電子機器一般に適用することができる。具体的には、例えば、本発明の動画記録装置２は、ノート型のパーソナルコンピュータ、ビデオカメラ、携帯型ナビゲーション装置、携帯電話機、ポータブルゲーム機等に適用可能である。また、本発明の電子機器１は、情報処理機能を有する電子機器一般に適用することができる。具体的には、例えば、本発明の電子機器１は、ノート型のパーソナルコンピュータ、テレビジョン受像機、ビデオカメラ、携帯型ナビゲーション装置、携帯電話機、スマートフォン、ポータブルゲーム機等に適用可能である。
【００９２】
上述した一連の処理は、ハードウェアにより実行させることもできるし、ソフトウェアにより実行させることもできる。
換言すると、図２及び図３等のハードウェア構成及び機能的構成は例示に過ぎず、特に限定されない。即ち、上述した一連の処理を全体として実行できる機能が電子機器１又は動画記録装置２に備えられていれば足り、この機能を実現するためにどのような機能ブロックを用いるのかは特に図２及び図３等の例に限定されない。
また、１つの機能ブロックは、ハードウェア単体で構成してもよいし、ソフトウェア単体で構成してもよいし、それらの組み合わせで構成してもよい。
【００９３】
また、上述の実施形態では、電子機器１及び動画記録装置２に備えられるハードウェア構成及び機能的構成は、他方の機器に備えられてもよく、図２及び図３等の例に限定されない。
例えば、第１実施形態の動画記録装置２の画像送信判定部７２は、電子機器に備えてもよい。また、例えば、第２実施形態の動画記録装置２に備えられる画像変化検出部７５は、電子機器１に備えてもよい。
【００９４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９５】
このようなプログラムを含む記録媒体は、ユーザにプログラムを提供するために装置本体とは別に配布されるリムーバブルメディア（図示せず）により構成されるだけでなく、装置本体に予め組み込まれた状態でユーザに提供される記録媒体等で構成される。リムーバブルメディアは、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２，３２や、図２の記憶部２０，４０に含まれるハードディスク等で構成される。
【００９６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００９７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００９８】
以下に、本願の出願当初の特許請求の範囲に記載された発明を付記する。
［付記１］
外部の動画記録装置と通信する通信手段と、
前記動画記録装置による動画記録中に発生する所定の信号を検出する第１の検出手段と、
前記第１の検出手段によって前記所定の信号を検出したことに応じて、前記動画記録装置にて記録対象となっている動画像を前記通信手段により逐次受信し、再生出力する表示制御手段と、
を備えることを特徴とする電子機器。
［付記２］
前記動画記録装置を制御するための操作を検出する操作検出手段をさらに備え、
前記第１の検出手段は、前記操作検出手段による操作の検出により発生する所定の信号を検出することを特徴とする、付記１に記載の電子機器
［付記３］
前記操作検出手段において検出される操作は、動画記録におけるフレームの範囲を変更する操作であることを特徴とする、付記２に記載の電子機器
［付記４］
外部の電子機器と通信する通信手段と、
動画記録中に発生する所定の信号を検出する第２の検出手段と、
前記第２の検出手段によって前記所定の信号を検出したことに応じて、記録対象となっている動画像を、前記通信手段を介して前記電子機器へ送信するよう制御する通信制御手段と、
を備えることを特徴とする動画記録装置。
［付記５］
前記動画記録装置を制御するための操作を検出する操作検出手段をさらに備え、
前記第２の検出手段は、前記操作検出手段による操作の検出により発生する所定の信号を検出することを特徴とする付記４に記載の動画記録装置
［付記６］
前記操作検出手段において検出される操作は、動画記録におけるフレームの範囲を変更する操作であることを特徴とする付記５に記載の動画記録装置
［付記７］
記録中の画像の変化を検出する変化検出手段をさらに備え、
前記第２の検出手段は、前記変化検出手段による変化の検出により発生する所定の信号を検出することを特徴とする付記６に記載の動画記録装置。
［付記８］
前記第２の検出手段は、記録中の画像に基づいて発生する所定の信号を検出することを特徴とする付記４に記載の動画記録装置。
［付記９］
前記第２の検出手段は、記録中の画像から特定の被写体を検出したか否かに基づいて発生する所定の信号を検出することを特徴とする付記８に記載の動画記録装置。
［付記１０］
前記第２の検出手段は、記録中の画像から動体を検出したか否かに基づいて発生する所定の信号を検出することを特徴とする付記８に記載の動画記録装置。
［付記１１］
前記第２の検出手段は、特定の状態になったか否かに基づいて発生する所定の信号を検出することを特徴とする付記４に記載の動画記録装置。
［付記１２］
前記特定の状態とは、動作に伴う温度上昇に対して当該動画記録装置が所定の温度未満の状態であることを特徴とする付記１１に記載の動画記録装置。
［付記１３］
外部の動画記録装置と通信する通信手段を備える電子機器で実行される動画送受信制御方法であって、
前記動画記録装置による動画記録中に発生する所定の信号を検出する第１の検出ステップと、
前記第１の検出ステップにおいて前記所定の信号を検出したことに応じて、前記動画記録装置にて記録対象となっている動画像を前記通信手段により逐次受信し、再生出力する表示制御ステップと、
を含むことを特徴とする動画送受信制御方法。
［付記１４］
外部の電子機器と通信する通信手段を備える動画記録装置で実行される動画送受信制御方法であって、
動画記録中に発生する所定の信号を検出する第２の検出ステップと、
前記第２の検出ステップにおいて前記所定の信号を検出したことに応じて、記録対象となっている動画像を、前記通信手段を介して前記電子機器へ送信するよう制御する通信制御ステップと、
を含むことを特徴とする動画送受信制御方法。
［付記１５］
外部の動画記録装置と通信する通信手段を備える電子機器を制御するコンピュータに、
前記動画記録装置による動画記録中に発生する所定の信号を検出する第１の検出機能と、
前記第１の検出機能によって前記所定の信号を検出したことに応じて、前記動画記録装置にて記録対象となっている動画像を前記通信手段により逐次受信し、再生出力する表示制御機能と、
を実現させることを特徴とするプログラム。
［付記１６］
外部の電子機器と通信する通信手段を備える動画記録装置を制御するコンピュータに、
動画記録中に発生する所定の信号を検出する第２の検出機能と、
前記第２の検出機能によって前記所定の信号を検出したことに応じて、記録対象となっている動画像を、前記通信手段を介して前記電子機器へ送信するよう制御する通信制御機能と、
を実現させることを特徴とするプログラム。
【符号の説明】
【００９９】
１００・・・リモート撮影システム，１・・・電子機器，２・・・動画記録装置，１１，３１・・・ＣＰＵ，１２，３２・・・ＲＯＭ，１３，３３・・・ＲＡＭ，１４，３４・・・画像処理部，１５，３５・・・バス，１６，３６・・・入出力インターフェース，１７，３７・・・撮像部，１８，３８・・・入力部，１９，３９・・・出力部，２０，４０・・・記録部，２１，４１・・・通信部，２２，４２・・・ドライブ，４３・・・温度センサ部，５１・・・操作検出部，５２・・・操作指示部，５３・・・表示制御部，５４・・・表示報知部，５５・・・撮影状況報知部，７１・・・操作実行部，７２，７２ａ，７２ｂ・・・画像送信判定部，７３・・・ライブビュー画像作成部，７４・・・ライブビュー画像送信部，７５・・・画像変化検出部，７６・・・撮影記録制御部，７７・・・撮影状況送信部，９１・・・画像記憶部
【図１】
0006435739.tif 000002
【図２】
0006435739.tif 000003
【図３】
0006435739.tif 000004
【図４】
0006435739.tif 000005
【図５】
0006435739.tif 000006
【図６】
0006435739.tif 000007
【図７】
0006435739.tif 000008
【図８】
0006435739.tif 000009
【図９】
0006435739.tif 000010
【図１０】
0006435739.tif 000011